(57)【要約】      （修正有）【課題】充填領域からの粘土状のパテの垂れ落ちを防止する耐火部材を提供する。【解決手段】耐火部材は、自身で形状を維持可能な熱膨張性耐火材料で一体成形された耐火部材１１０であって、壁材の壁孔内に配置される中空の筒状部１１２、及び、筒状部１１２の内部で配線・配管材を挿通可能な挿通部１１３を有する耐火部材本体１１１と、壁表側でパテ部材が充填される底部を有する充填領域１１７と、充填領域１１７を縁取る外周縁１１７ａの少なくとも一部に形成され、充填領域１１７よりも壁表に突出し、充填領域１１７に充填されたパテ部材を支持するパテ支持部１１８と、を備える。【選択図】図１
2015200110.tif 000002
【特許請求の範囲】
【請求項１】
自身で形状を維持可能な熱膨張性耐火材料で一体成形された耐火部材であって、
壁材の壁孔内に配置される中空の筒状部、及び、該筒状部の内部で配線・配管材を挿通可能な挿通部を有する耐火部材本体と、
壁表側でパテ部材が充填される底部を有する充填領域と、
前記充填領域を縁取る外周縁の少なくとも一部に形成され、前記充填領域よりも壁表に突出し、前記充填領域に充填された前記パテ部材を支持するパテ支持部と、を備えることを特徴とする耐火部材。
【請求項２】
該耐火部材を前記壁孔に設置したときに、前記パテ支持部が前記充填領域の外周縁の少なくとも下側で延在して、前記パテ支持部が前記充填領域に充填されたパテ部材を下支えすることを特徴とする請求項１に記載の耐火部材。
【請求項３】
前記パテ支持部の突出高さは、前記パテ部材の必要な充填高さと略同一であることを特徴とする請求項１に記載の耐火部材。
【請求項４】
前記耐火部材本体には、前記挿通部を前記配線・配管材を通過可能に閉鎖する閉鎖部が設けられ、前記閉鎖部の壁表側外面に前記充填領域の底部を定めたことを特徴とする請求項１から３のいずれか一項に記載の耐火部材。
【請求項５】
前記配線・配管材を径方向から前記挿通部に挿入可能にするべく、前記本体部の軸方向に亘って延びて前記挿通部を内外に連通させるスリット部が設けられ、前記スリット部の少なくとも一部が前記充填領域の底部上で延びていることを特徴とする請求項１から４のいずれか一項に記載の耐火部材。
【請求項６】
前記パテ支持部の一部が、前記充填領域の底部上で延びる前記スリット部に対して交差する方向に延設されていることを特徴とする請求項５に記載の耐火部材。
【請求項７】
前記パテ支持部の一部が、前記充填領域の底部上で延びる前記スリット部を挟み込むように前記スリット部に平行に延設されていることを特徴とする請求項５又は６に記載の耐火部材。
【請求項８】
前記耐火部材本体は、該耐火部材本体の筒状部から外方に張り出したフランジ部をさらに備え、前記フランジ部に形成された前記スリット部を前記パテ部材で充填して閉鎖すべく、前記フランジ部の壁表側外面の少なくとも一部に前記充填領域の底部を定めたことを特徴とする請求項５から７のいずれか一項に記載の耐火部材。
【請求項９】
前記パテ支持部が前記充填領域の全周を包囲することを特徴とする請求項１から８のいずれか一項に記載の耐火部材。
【請求項１０】
配線・配管材を壁孔に貫通させて配設可能な防火区画壁構造であって、
防火区画用の壁材の壁孔に請求項１から９のいずれか一項に記載の耐火部材が配置され、前記耐火部材の挿通部に前記配線・配管材が挿通され、前記耐火部材の充填領域上に所定量のパテ部材が充填されたことを特徴とする防火区画壁構造。
【発明の詳細な説明】
【技術分野】
【０００１】
本発明は、壁材の壁孔に配置される耐火部材及び該耐火部材が設置された防火区画壁構造に関する。
【背景技術】
【０００２】
従来、建築物の防火区画用の壁材に配線・配管材を貫通して配設する際、該壁材に壁孔を穿設し、その壁孔内に配線・配管材を配設する。このような防火区画壁構造では、壁孔内に防火措置を施すことが求められている。すなわち、防火区画用の壁材を挟んだ一方の壁表側の空間で火災等が発生したとき、壁孔を介して他方側の空間に一方側で発生した火炎、煙、有毒ガス等が流入することを阻止すべく、該壁孔が閉塞されなければならない。そして、火災時に壁孔と配線・配管材との間を密封する特許文献１のような防火構造が提案されている。
【０００３】
特許文献１は、防火区画用の壁材の壁孔に配置される熱膨張性耐火具（１１）を開示している。熱膨張性耐火具（１１）は、壁孔としての貫通部（３４）内に挿入されるとともに、筒状をなし配線・配管材（３３）が挿通可能な挿通孔（２０）を有する熱膨張性ゴム製の耐火具本体（１２）と、該耐火具本体（１２）の径方向に沿って延びる薄板状のフランジ（１３）と、を備える。この耐火具本体（１２）において、該耐火具本体（１２）の径方向の厚みには、火災等で発生した熱により膨張する熱膨張部（１２ｂ）の厚みが確保されるとともに、該熱膨張部（１２ｂ）の外周面側において火災等の発生時に耐火具本体（１２）の外形形状を維持する外形維持部（１２ａ）の厚みが確保されている。該熱膨張性耐火具（１１）が配置された壁材の壁表側で火災が発生した場合、配線・配管材（３３）が加熱され、熱が配線・配管材（３３）の外面と耐火具本体（１２）の内周面との間の隙間を伝播する。この伝播した熱により、耐火具本体（１２）は内周面側から加熱され、耐火具本体（１２）の熱膨張部（１２ｂ）が加熱される。そして、加熱された熱膨張部（１２ｂ）は貫通部（３４）の径方向内側に向けて膨張し、配線・配管材（３３）と耐火具本体（１２）内周面との間の隙間が埋められ、貫通部（３４）が封鎖される。
【０００４】
このような防火構造では、熱膨張性耐火具（１１）が壁孔に設置され、配線・配管材（３３）が挿通孔（２０）内に配設された状態で、配線・配管材（３３）外周と耐火具本体（１２）との間などに細かな隙間が生じる。この隙間は、壁表空間と壁裏空間（又は壁孔内部）とを連通させ、耐火部材（１１）の密閉性能を大幅に低下させる虞がある。そこで、当該隙間を閉塞するために、特許文献１の防火構造では、熱膨張性耐家具（１１）の端面において、熱膨張性耐家具（１１）と配線・配管材（３３）との間に難燃性のパテよりなる粘土状のシール材（３９）が充填されている。
【先行技術文献】
【特許文献】
【０００５】
【特許文献１】特開２００８−２４１０２７号公報
【発明の概要】
【発明が解決しようとする課題】
【０００６】
特許文献１の熱膨張性耐火具のような従来の耐火部材では、一般的に、配線・配管材と耐火部材本体との間の隙間を閉塞するように粘土状のパテが充填される。しかしながら、このような従来の耐火部材では、パテが耐火部材端面（例えば、舌片（１６ａ））上に無造作に盛られているだけであるため、パテがその充填箇所から（鉛直方向下方に）垂れ落ちて、又は、所望の充填箇所からずれて耐火性能を低下させる虞があった。
【０００７】
本発明は、上記課題を解決するためになされたものであり、その目的は、所望の充填領域からの粘土状のパテの垂れ落ち又はずれを防止する耐火部材及び該耐火部材を備えた防火区画壁構造を提供することにある。
【課題を解決するための手段】
【０００８】
請求項１に記載の耐火部材は、自身で形状を維持可能な熱膨張性耐火材料で一体成形された耐火部材であって、
壁材の壁孔内に配置される中空の筒状部、及び、該筒状部の内部で配線・配管材を挿通可能な挿通部を有する耐火部材本体と、
壁表側でパテ部材が充填される底部を有する充填領域と、
充填領域を縁取る外周縁の少なくとも一部に形成され、充填領域よりも壁表に突出し、充填領域に充填されたパテ部材を支持するパテ支持部と、を備えることを特徴とする。
【０００９】
請求項２に記載の耐火部材は、請求項１に記載の耐火部材において、該耐火部材を壁孔に設置したときに、パテ支持部が充填領域の外周縁の少なくとも下側で延在して、パテ支持部が充填領域に充填されたパテ部材を下支えすることを特徴とする。
【００１０】
請求項３に記載の耐火部材は、請求項１又は２に記載の耐火部材において、パテ支持部の突出高さは、パテ部材の必要な充填高さと略同一であることを特徴とする。
【００１１】
請求項４に記載の耐火部材は、請求項１から３のいずれかに記載の耐火部材において、耐火部材本体には、挿通部を配線・配管材を通過可能に閉鎖する閉鎖部が設けられ、閉鎖部の壁表側外面に充填領域の底部を定めたことを特徴とする。
【００１２】
請求項５に記載の耐火部材は、請求項１から４のいずれかに記載の耐火部材において、配線・配管材を径方向から挿通部に挿入可能にするべく、本体部の軸方向に亘って延びて挿通部を内外に連通させるスリット部が設けられ、該スリット部の少なくとも一部が充填領域の底部上で延びていることを特徴とする。
【００１３】
請求項６に記載の耐火部材は、請求項５に記載の耐火部材において、パテ支持部の一部が、充填領域の底部上で延びるスリット部に対して交差する方向に延設されている。
【００１４】
請求項７に記載の耐火部材は、請求項５又は６に記載の耐火部材において、パテ支持部の一部が、充填領域の底部上で延びるスリット部を挟み込むようにスリット部に平行に延設されていることを特徴とする。
【００１５】
請求項８に記載の耐火部材は、請求項５から７のいずれかに記載の耐火部材において、前記耐火部材本体は、該耐火部材本体の筒状部から外方に張り出したフランジ部をさらに備え、前記フランジ部に形成された前記スリット部を前記パテ部材で充填して閉鎖すべく、前記フランジ部の壁表側外面の少なくとも一部に前記充填領域の底部を定めたことを特徴とする。
【００１６】
請求項９に記載の耐火部材は、請求項１から８のいずれかに記載の耐火部材において、前記パテ支持部が前記充填領域の全周を包囲することを特徴とする。
【００１７】
請求項１０に記載の防火区画壁構造は、配線・配管材を壁孔に貫通させて配設可能な防火区画壁構造であって、防火区画用の壁材の壁孔に請求項１から９のいずれか一項に記載の耐火部材が配置され、耐火部材の挿通部に配線・配管材が挿通され、耐火部材の充填領域上に所定量のパテ部材が充填されたことを特徴とする。
【発明の効果】
【００１８】
請求項１に記載の耐火部材によれば、充填領域外周縁から壁表側に突出するパテ支持部によって、該充填領域に充填されたパテ部材を支持することにより、該パテ部材が充填領域から垂れ落ちる虞や所望の充填位置からずれる虞を大幅に軽減することができる。すなわち、本発明では、パテ支持部がパテ部材を所定の充填領域内により確実に留めることにより、耐火性能を維持することが可能である。
【００１９】
請求項２に記載の耐火部材によれば、請求項１の発明の効果に加えて、少なくともパテ支持部を充填領域の外周縁の下側に設け、耐火部材を壁孔に設置したときにパテ支持部が充填領域に充填されたパテ部材を下支えすることにより、パテ部材が垂れ落ちることを効果的に防止することができる。
【００２０】
請求項３に記載の耐火部材によれば、請求項１又は２の発明の効果に加えて、パテ支持部の突出高さがパテ部材の必要な充填高さと略同一であることにより、所定の耐火性能を確保するために必要な量（高さ）のパテ部材を充填領域に充填したとしても、該パテ部材がパテ支持部から筒部軸方向にはみ出すことを防止することができる。さらに、パテ支持部の突出高さに合わせてパテ部材を充填することにより、パテ部材を過剰に充填することを防止することができる。すなわち、本発明は、必要な耐火性能の確保、及び、パテ部材の垂れ落ち防止を両立するものである。
【００２１】
請求項４に記載の耐火部材によれば、請求項１から３のいずれかの発明の効果に加えて、配線・配管材が通過する閉鎖部に充填領域の底部を定めたことにより、配線・配管材と閉鎖部との間に生じる隙間をパテ部材で効果的に閉塞することができる。
【００２２】
請求項５に記載の耐火部材によれば、請求項１から４のいずれかの発明の効果に加えて、耐火部材本体の挿通部に連通するスリット部を介して配線・配管材を径方向から挿通部に挿入することができる。これにより、予め壁孔に配設された配線・配管材に対して事後的に耐火部材を取り付けることができる。さらに、スリット部の一部が充填領域上に延びていることにより、パテ部材を充填領域に充填した際、スリット部をパテ部材で覆い、スリット部による耐火性能の低下を効果的に抑えることができる。
【００２３】
請求項６に記載の耐火部材によれば、請求項５の発明の効果に加えて、パテ支持部の一部が充填領域上でスリット部に交差することにより、スリット部を垂直方向に沿って下側（６時の方向）に配置した場合、スリット部を覆うパテ部材が垂れ落ちることを防止することができる。あるいは、スリット部を水平方向（３時又は９時の方向）に沿って配置した場合でも、スリット部を閉塞するパテ部材が側方にはみ出すことを防止することができる。
【００２４】
請求項７に記載の耐火部材によれば、請求項５又は６の発明の効果に加えて、パテ支持部の一部が充填領域内のスリット部に沿って延びていることにより、スリット部を水平方向（３時又は９時の方向）に沿って配置した場合、スリット部を覆うパテ部材が垂れ落ちることを防止することができる。あるいは、スリット部を垂直方向に沿って下側（６時の方向）に配置した場合であっても、スリット部を閉塞するパテ部材が側方にはみ出すことを防止することができる。
【００２５】
請求項８に記載の耐火部材によれば、請求項５から７のいずれかの発明の効果に加えて、耐火部材本体の壁表側端面全体にパテ部材を充填せずとも、フランジ部の少なくとも一部に定められた充填領域の底部にパテ部材を充填することにより、フランジ部上のスリット部を効果的に閉塞することができる。
【００２６】
請求項９に記載の耐火部材によれば、請求項１から８のいずれかの発明の効果に加えて、パテ支持部が充填領域全周を包囲することにより、パテ部材を充填領域からはみ出さないように簡単に充填可能であるとともに、パテ部材をパテ支持部に囲われた充填領域内により安定的に留めることが可能である。
【００２７】
請求項１０に記載の防火区画壁構造によれば、請求項１から９に記載の耐火部材の効果を防火区画壁構造として発揮することができる。すなわち、本発明では、パテ支持部がパテ部材を所定の充填領域内に留めることにより、より確実に耐火性能を維持することが可能である。
【図面の簡単な説明】
【００２８】
【図１】本発明の一実施形態（実施例１）の耐火部材の（ａ）正面からの斜視図、及び、（ｂ）背面からの斜視図。
【図２】図１の耐火部材の（ａ）正面図、（ｂ）背面図及び（ｃ）側面図。
【図３】図２の耐火部材の（ａ）Ａ−Ａ断面図及び（ｂ）Ｂ−Ｂ断面図。
【図４】本発明の一実施形態（実施例１）の防火区画壁構造の斜視図。
【図５】図４の防火区画壁構造の（ａ）正面図及び（ｂ）Ｃ−Ｃ断面図。
【図６】図５の防火区画壁構造において、火災により壁孔が閉塞された形態の一例を示す模式図。
【図７】図４の防火区画壁構造を構築する方法の一工程を示し、耐火部材を配線・配管材に対して配置する工程を示す模式図。
【図８】図４の防火区画壁構造を構築する方法の一工程を示し、耐火部材を壁孔に配置しパテ部材を充填する工程を示す模式図。
【図９】本発明の別実施形態（実施例２）の耐火部材の（ａ）正面からの斜視図、及び、（ｂ）背面からの斜視図。
【図１０】本発明の別実施形態（実施例２）の防火区画壁構造の（ａ）正面図及び（ｂ）Ｄ−Ｄ断面図。
【図１１】本発明の別実施形態（実施例３）の耐火部材の（ａ）正面からの斜視図、及び、（ｂ）背面からの斜視図。
【図１２】本発明の別実施形態（実施例３）の防火区画壁構造の（ａ）正面図及び（ｂ）Ｅ−Ｅ断面図。
【図１３】本発明の別実施形態（実施例４）の耐火部材の斜視図。
【図１４】本発明の別実施形態（実施例４）の防火区画壁構造の（ａ）正面図及び（ｂ）Ｆ−Ｆ断面図。
【発明を実施するための形態】
【００２９】
以下、本発明の一実施形態について図面を参照しつつ説明する。なお、以下の説明において参照する各図の形状は、好適な形状寸法を説明する上での概念図又は概略図であり、寸法比率等は実際の寸法比率とは必ずしも一致しない。つまり、本発明は、図面における寸法比率に限定されるものではない。また、本発明における上下左右の方向は、相対的な位置を示す概念にすぎず、これらを入れ替えて適用可能であることは言うまでもない。
【００３０】
（実施例１）
図１乃至図３を参照して本発明の一実施形態の耐火部材１１０を説明する。図１（ａ）、（ｂ）は、本実施形態の耐火部材１１０の一端側及び他端側からの斜視図である。図２（ａ）〜（ｃ）は、該耐火部材１１０の正面図、背面図、側面図である。図３（ａ）、（ｂ）は、該耐火部材１１０のＡ−Ａ断面図及びＢ−Ｂ断面図である。
【００３１】
本実施形態の耐火部材１１０は、自身で形状を維持可能な熱膨張製材料で一体成形されたものである。より具体的には、熱膨張性材料は熱膨張性ゴムであり、この熱膨張性ゴムは高熱（例えば３００℃以上）に曝されると体積が加熱前の２倍以上に膨張する膨張材（膨張黒鉛）を混入し、所定形状に成形した（成形工程を経た）ゴムに加硫工程を経てなるものである。なお、加硫工程とは、成形工程を経たゴムに熱を加え、加硫（架橋）反応や接着反応を起こさせ、ゴム弾性を有する製品を得る工程である。そして、耐火部材１１０は、熱膨張性ゴム自身により円筒状（形状）を維持している。
【００３２】
図１及び図２に示すとおり、耐火部材１１０は、一端から他端に延びる耐火部材本体１１１と、該耐火部材本体１１１の壁表側（一端側）でパテ部材１２０が充填される底部を有する充填領域１１７と、該充填領域１１７（底部）の外周縁１１７ａに沿って耐火部材本体１１１の壁表側端面よりも壁表に突出するパテ支持部１１８と、を備える。なお、本実施形態の「壁表側」とは、少なくとも筒状部１１２の軸方向中央より一端（壁表）寄りの位置を意味する。そして、耐火部材本体１１１は、壁材Ｗの壁孔Ｈ内に配置される中空円筒状に形成された筒状部１１２と、該筒状部１１２の一端側から外方に一体的に張り出した板状のフランジ部１１４とからなる。
【００３３】
該筒状部１１２は、図２（ｃ）に示すように、その軸方向に沿って一様な径で一端から他端に向けて直線状に延びている。この中空筒状の筒状部１１２の内周面１１２ａ内方の中空空間に、配線・配管材Ｐを内挿可能な挿通部１１３が定められている。他方、筒状部１１２の外形（輪郭）は、外周面１１２ｂによって定められている。すなわち、筒状部１１１の内周面１１２ａ及び外周面１１２ｂの間の肉厚部分（熱膨張性材料）が壁孔Ｈの内壁と配線・配管材Ｐの外面との間に配置される。なお、外周面１１２ｂの外径は、壁孔Ｈの直径と略同一（わずかに小さい）に形成され、且つ、当該外周面１１２ｂの形状（円形）と壁孔Ｈの形状（円形）とが略同一になっている。
【００３４】
また、該耐火部材本体１１１の筒状部１１２は、その径方向に沿って内周面１１２ａと外周面１１２ｂとの間に所定厚の円筒壁を有している。この耐火部材本体１１１は、火災等で発生した熱によって加熱され、筒状部１１２の内径方向へ膨張して挿通部１１３を閉塞する（すなわち、内周面１１２ａの内側空間を埋める）だけの厚みを有していることが好ましい。また、耐火部材本体１１１の筒状部１１２は、内周面１１２ａ側から加熱されて膨張したときに、筒状部１１２の外周面１１２ｂ側の形状を維持する厚みを外周面側に確保していることが好ましい。換言すると、筒状部１１２の厚みは、内周面１１２ａ側が加熱されたときに、その熱が筒状部１１２の内周面１１２ａから外周面１１２ｂ側に影響を及ぼさないような厚みに設定されていることが好ましい。本実施形態では、筒状部１１２の円筒壁の厚みは、内周面１１２ａの内径に対する熱膨張性ゴムの膨張率の比の値よりも厚くなるように設定されている。また、筒状部１１２の円筒壁の厚みは、その周方向に沿って一定である。なお、本実施形態では、筒状部１１２の円筒壁の厚みは約２０ｍｍである。上記好ましい形態によって、（先行技術文献１に示されているとおり）ケーブル芯線の加熱で内周面１１２ａ側から耐火部材本体１１１が加熱された場合に、挿通部１１３の内側への最適な熱膨張が可能である。しかしながら、本発明はこのような内周面１１２ａからの加熱のみを想定したものではないので、本発明の耐火部材の形状寸法は本実施形態に限定されることはない。
【００３５】
そして、フランジ部１１４は、筒状部１１２の一端の外周縁から径方向に延びるように該耐火部材本体１１１の周方向全体で薄肉状（本実施形態では約２ｍｍ厚）に形成されている。図２（ａ）、（ｂ）に示すように、フランジ部１１４の輪郭を定める外縁は円形状であり、その直径は壁孔Ｈの直径よりも大きい。すなわち、フランジ部１１４の裏面が壁孔Ｈの周縁の壁面に当接可能である。
【００３６】
さらに、耐火部材本体１１１一端面（フランジ部１１４）の略中心には、軸方向一端側で挿通部１１３を閉鎖する閉鎖部１１５が形成されている。他方、耐火部材本体１１１の他端面が開放されている。図３（ａ）、（ｂ）に示すように、閉鎖部１１５は、フランジ部１１４と同様に薄肉状に形成され、耐火部材本体１１１（又は挿通部１１３）の一端を閉鎖している。この閉鎖部１１５は、その中心を通る複数の切り込みで複数に分割されている。つまり、該閉鎖部１１５には、筒状部１１２一端で内周面１１２ａから径方向内方（中心側）に延びる複数の舌片１１５ａが形成されている。各舌片１１５ａは、その基端を支点として軸方向に沿って（図３（ａ）、（ｂ）の仮想線のように）弾性変形可能である。舌片１１５ａを弾性変形させることにより、該閉鎖部１１５は、耐火部材本体１１１端面を開放するように配線・配管材Ｐを通過可能に変形する。そして、該閉鎖部１１５では、配線・配管材Ｐを挿し込んだ後に舌片１１５ａが弾性復帰することにより、各舌片１１５ａが配線・配管材Ｐの外面に密着して、再度端面を閉鎖する。
【００３７】
また、耐火部材本体１１１には、筒状部１１２の軸方向全体に亘って延びるとともに、軸方向に対して直交する方向（径方向）へ延びるスリット部１１６が形成されている。そして、スリット部１１６は、耐火部材本体１１１の内周面１１２ａ、外周面１１２ｂ及びフランジ部１１４外周縁を連通するように繋いでいる。耐火部材本体１１１を弾性変形させることにより、このスリット部１１６を開口させて挿通部１１３を開放可能である。つまり、スリット部１１６を介して、配線・配管材Ｐをその径方向から挿通部１１３に挿入可能である。なお、このスリット部１１６は、舌片１１５ａ形成するための複数の切り込みのうちの１つであり、舌片１１５ａの形成に利用されている。
【００３８】
さらに、該耐火部材１１０において、耐火部材本体１１１の壁表側の一端面でパテ部材１２０が充填される領域を充填領域１１７と定めた。この充填領域１１７の底部は、パテ部材１２０が載置される面であり、本実施形態の形状に限定されず、必要に応じて任意に設定される。すなわち、「充填領域」は、例えば、耐火部材の細かい隙間を封止し、又は、耐火部材の薄肉部分を耐火性能の面で補強する等を目的としてパテ部材で充填される領域である。
【００３９】
そして、該パテ部材１２０は、耐火部材１１０の一端面における細かな隙間を密封するように充填領域１１７に充填される。より詳細には、充填領域１１７の外表面である底部上にパテ部材１２０が直接的に載置される。該パテ部材１２０は、粘土状の熱膨張性耐熱シール材であり、この熱膨張性ゴムは高熱（例えば３００℃以上）に曝されると体積が加熱前の２倍以上に膨張する膨張材（膨張黒鉛）等を未加流ゴムに混合したものである。しかしながら、本発明のパテ部材は、これに限定されず、少なくとも耐熱性であり、且つ、細かい隙間を密閉可能であれば足り、非熱膨張性であってもよい。
【００４０】
図２（ａ）、（ｃ）に示すとおり、充填領域１１７は、鍵穴形状の外周縁（輪郭）１１７ａによって縁取られている。そして、該充填領域１１７は、筒状部１１２端面の薄肉部分（閉鎖部１１５）上に延在する円形充填領域１１７ｂと、該円形充填領域１１７ｂに連設されるとともにフランジ部１１４のスリット部１１６上に延在する矩形充填領域１１７ｃとで組み合わさってなる。
【００４１】
この円形充填領域１１７ｂに充填されるパテ部材１２０は、配線・配管材Ｐ外周と耐火部材本体１１１との間に生じた隙間を埋め、閉鎖部１１５の切片１１５ａ間の隙間を埋め、尚且つ、耐火部材１１０薄肉部分（閉鎖部１１５）を耐火性能の面で補強するものである。換言すると、該パテ部材１２０は、主に、耐火部材１１０による細かい隙間を埋めること及び／又は耐火性能を補うことを目的として配置され、パテ部材１２０自体で径方向内方に熱膨張して配線・配管材Ｐを押し潰すことを目的として配置されるものではない。つまり、本実施形態のパテ部材１２０は、図１２で後述するような、挿通部３１３内で配線・配管材Ｐを押し潰すことを目的として充填されたパテ部材３２１とは明確に区別されて解釈され得る。
【００４２】
そして、本実施形態は、充填領域１１７の底部の一部分（円形充填領域１１７ｂ）を閉鎖部１１５の壁表側外面に定めたものである。本実施形態において、正面視における充填領域１１７（円形充填領域１１７ｂ）の径又は面積が、挿通部１１３の径又は面積とほぼ同じであるか、あるいは、挿通部１１３の径又は面積よりも大きいことが好ましい。なぜなら、挿通部１１３の壁表側の薄肉部分のような耐火性能が低い箇所全体をパテ部材１２０で覆って効果的に補強できるからである。
【００４３】
他方、矩形充填領域１１７ｃに充填されるパテ部材１２０は、スリット部１１６によって生じた（閉鎖部１１５外方の）筒状部１１２円筒壁及びフランジ部１１４上の隙間を埋めるものである。すなわち、本実施形態は、充填領域１１７の底部の一部分（矩形充填領域１１７ｃ）をフランジ部１１４の壁表側外面の一部に定めたものである。
【００４４】
そして、充填領域１１７に充填されたパテ部材１２０を支持するためのパテ支持部１１８が、充填領域１１７の（径方向）外側で外周縁１１７ａに沿って突出形成されている。図２（ａ）に示すとおり、該パテ支持部１１８は、外周縁１１７ａ全体に亘ってほぼ一様な幅で延びており、充填領域１１７を包囲している。より詳細には、枠状のパテ支持部１１８が、円形充填領域１１７ｂと矩形充填領域１１７ｃとの間の境界を除いて、円形充填領域１１７ｂ及び矩形充填領域１１７ｃの周囲を包囲している。該パテ支持部１１８の一部は、矩形充填領域１１７ｃを縁取るように、フランジ部１１４周縁でスリット部１１６に対して交差する方向に延設されているとともに、該スリット部１１６を挟み込むように平行に延設されている。
【００４５】
さらに、図３（ａ）、（ｂ）に示すとおり、パテ支持部１１８は、充填領域１１７の外周縁１１７ａ底部から耐火部材本体１１１の壁表側端面よりも壁表側に所定の高さｈで突出している。このパテ支持部１１８の突出高さｈは、パテ支持部１１８の基端（充填領域１１７の外周縁１１７ａ）からその端面までの距離である。該突出高さｈはパテ部材１２０の必要な充填高さ以上であることが好ましい。このパテ部材１２０の必要な充填高さは、必要な耐火性能や耐火部材の寸法等の種々の条件によって規定される。例えば、本実施形態の耐火部材１１０では、規定上３ｍｍ以上の粘土によるパテ充填が必要である。このような場合、パテ部材１２０がパテ支持部１１８よりも軸方向に突出することを防止すべく、パテ支持部１１８の突出高さｈが３ｍｍ以上であることが好ましい。
【００４６】
続いて、図４及び図５を参照して、本発明の一実施形態の防火区画壁構造１０を詳細に説明する。図４は、本実施形態の耐火部材１１０を防火区画用の壁材Ｗの壁孔Ｈに設置した防火区画壁構造１０の斜視図である。図５（ａ）、（ｂ）は、該防火区画壁構造１０の正面図及びそのＣ−Ｃ断面図である。
【００４７】
本実施形態の防火区画用の壁材Ｗは、垂直に立設した中空の耐火壁である。この壁材Ｗは、石膏ボードからなり、立設された複数本の間柱（図示せず）に固定されて構築されたものである。これら２枚の壁材Ｗが間柱を挟んで前後に構築されることにより、壁材Ｗの間に中空空間（壁裏空間）が形成されている。当該中空の耐火壁を貫通すべく、各壁材Ｗには、所定の太さの配線・配管材Ｐが貫通可能な径を有する壁孔Ｈがホルソー等によって穿設されている。この壁孔Ｈは正円形状を有し、その内径は耐火部材１１０の筒状部１１２の外径と略同一（わずかに大きく）に形成されている。そして、２つの壁孔Ｈによって一方の壁材Ｗの壁表空間と他方の壁材Ｗの壁表空間とが連通されている。すなわち、防火区画壁構造１０は、両壁孔Ｈ及び中空空間を介して配線・配管材Ｐを貫通可能としている。なお、本発明の壁材は防火区画用の天井や床等の構造体をも含む概念であり、本実施形態の形態に限定されない。また、本実施形態の配線・配管材Ｐは、建築物内に配設される配線（制御用ケーブル、同軸ケーブル、光ケーブル等）及び配管材（合成樹脂製可撓電線管、鋼製電線管等）等の金属製の芯線Ｐ’を含むケーブルであるが、本発明の配線・配管材は種々の長尺材を意味する幅広い概念であり、これに限定されない。すなわち、本発明の配線・配管材は、金属製の芯線を有さないものであってもよい。
【００４８】
本実施形態の防火区画壁構造１０は、配線・配管材Ｐを壁孔Ｈに貫通させて配設可能であって、防火区画用の壁材Ｗの壁孔Ｈに耐火部材１１０が配置され、該耐火部材１１０の挿通部１１３に配線・配管材Ｐが挿通され、該耐火部材１１０の充填領域１１７上に所定量のパテ部材１２０が充填されたことを特徴とする。換言すると、耐火部材１１０及びパテ部材１２０は、防火区画用の壁材Ｗに配線・配管材Ｐ用の貫通部を形成するための貫通部形成装置として協働的に機能している。
【００４９】
より詳細には、防火区画壁構造１０では、図５（ｂ）に示すとおり、各耐火部材１１０の中空円筒状の筒状部１１２が壁材Ｗの壁孔Ｈ内に挿入されている。そして、２つの耐火部材１１０が一対の壁材Ｗの壁孔Ｈにそれぞれ設置されており、２枚の壁材Ｗを通して配線・配管材Ｐを貫通可能とすべく連通した貫通部を各壁材Ｗに形成している。上述したように、耐火部材本体１１１の筒状部１１２外径と壁孔Ｈの内径とがほぼ等しいため、筒状部１１２の外周面１１２ｂと壁孔Ｈの内周面とがほぼ密接している。また、耐火部材１１０の一端が壁表側に配置され、他端が壁裏側を向いている。そして、フランジ部１１４裏面が壁孔Ｈ周縁の壁面に当接している。一対の耐火部材１１０の壁裏側の他端面は、壁裏空間で互いに近接した位置に対向配置されている。
【００５０】
そして、１本の配線・配管材Ｐが２つの壁材Ｗを貫通するように両壁孔Ｈの略中心に貫通配置されている。この配線・配管材Ｐは、耐火部材１１０の耐火部材本体１１１の挿通部１１３を軸方向に貫通している。そして、閉鎖部１１５の各舌片１１５ａが挿通部１１３内で他端側に折れ曲がり、その弾性復帰力により各舌片１１５ａが配線・配管材Ｐの外面に密着している。すなわち、耐火部材１１０内の挿通部１１３が壁表に露出しないように、配線・配管材Ｐの外面と本体部１１０の内周面１１２ｂとの間が閉塞部１１５で閉鎖されている。
【００５１】
さらに、図５（ａ）、（ｂ）に示すとおり、熱膨張性のパテ部材１２０が、耐火部材１１０の一端面に規定された充填領域１１７上に充填されている。該パテ部材１２０は、充填領域１１７内で、該閉鎖部１１５と配線・配管材Ｐとの隙間、閉鎖部１１５の舌片１１５ａ同士の隙間、及び、スリット部１１６全体を密閉している。
【００５２】
図５（ａ）に示すように、正面視において、パテ部材１２０は、円形充填領域１１７ｂ及び矩形充填領域１１７ｃの両方に隙間なく充填され、充填領域１１７の外周縁１１７ａからはみ出ることなく、パテ支持部１１８によって全体的に包囲されている。そして、図５（ｂ）に示すように、パテ部材１２０は、パテ支持部１１８の突出高さｈを越えないように、壁表側にほぼ平坦な外表面を有する。すなわち、パテ支持部１１８の突出高さｈに合わせて、パテ部材１２０が充填用治具（例えば、ヘラ）によって平坦にならされている。そして、パテ支持部１１８が充填領域１１７の外周縁１１７ａの下側で延在している。すなわち、該パテ支持部１１８は、充填領域１１７上のパテ部材１２０を鉛直方向下側から下支えし、重力によってパテ部材１２０が落下する虞を軽減する。また、パテ支持部１１８が外周縁１１７ａ全体に亘って延在していることにより、パテ部材１２０が充填領域１１７の外にはみ出さないように充填されている。なお、本防火区画壁構造１０では、スリット部１１６先端が９時の方向を向くように配置されているが、パテ支持部１１８が充填領域１１７全体を包囲しているので、スリット部１１６の向きが変更されても、同様の垂れ落ち防止効果及びはみ出し防止効果を安定的に発揮することができる。
【００５３】
また、本実施形態の防火区画壁構造１０では、防火機能をより確実にするために、このパテ部材１２０は、充填高さが約３ｍｍとなるように盛られている。本実施形態では、パテ部材１２０の突出高さｈを最低限の隆起量と同じく約３ｍｍ（つまり、必要な充填高さ以上）としたことで、所望の耐火性能を発揮しつつ、パテ部材１２０がパテ支持部１１８を越えて軸方向（壁表側）に突出することを抑えている。
【００５４】
なお、本実施形態では、挿通部１１３内が中空の状態で閉鎖部１１５及びスリット部１１６に亘る充填領域１１７にパテ部材１２０が充填されたが、本発明はこの形態に限定されない。例えば、図示しないが、閉鎖部１１５の内側の挿通部１１３内に別途パテ部材を充填した設置構造に対して、耐火部材１１０の細かい隙間を埋める仕上げを目的として、耐火部材１１０の壁表側端面に定められた充填領域１１７に事後的にパテ部材１２０を充填してもよい。このようにして構築された防火区画壁構造では、より多量のパテ部材が用いられるとともに細かい隙間がパテ部材１２０によってさらに閉鎖されるため、より高い防火性能が発揮される。
【００５５】
図６は、火災が生じたときに壁孔Ｈが閉鎖された防火区画壁構造１０’の模式図である。この防火区画壁構造１０’は、一方側（図６の左側）の空間のみに火災が生じ、一方側の耐火部材１１０が該火災空間から加熱された場合を想定したものである。図６に示すとおり、耐火部材１１０及びパテ部材１２０が熱膨張することにより、一方側で発生した火炎、煙、有毒ガスが壁孔Ｈを介して他方側（図６の右側）の空間に流入することが阻止されている。
【００５６】
より詳細には、図６に示すとおり、防火区画壁構造１０’では、火災空間側で配線・配管材Ｐの被覆材の一部が燃えて金属製の芯線Ｐ’が部分的に露出している。そして、一方側の耐火部材１１０において、耐火部材本体１１１の内周面１１２ａが径方向内側に膨張し、部分的に露出した芯線Ｐ’の外面を密着状態で包囲している。換言すると、配線・配管材Ｐの外面と耐火部材１１０の内周面１１２ａとの間の当初空隙が部分的に熱膨張性材料によって埋められて密封閉鎖されている。さらに、フランジ部１１４、パテ支持部１１８及びパテ部材１２０が加熱されて壁表側に熱膨張している。パテ部材１２０の膨張とともにパテ支持部１１８が軸（壁表）方向に膨張しているので、熱膨張したパテ部材１２０が落下することなくパテ支持部１１８に支持されている。そして、他方側の耐火部材１１０において、耐火部材本体１１１の他端が加熱されて熱膨張している。しかし、他方側の壁表まで熱が十分に伝達されていないため、他方側の耐火部材１１０の一端面（フランジ部１１４、パテ支持部１１８）は熱変形せずに原形を留めている。
【００５７】
なお、ここで説明した防火区画壁構造１０、１０’は一実施例にすぎず、本発明の防火区画壁構造はこれに限定されない。例えば、壁材は中空の耐火壁でなく、中空空間（又は壁裏空間）を含まない１枚のコンクリート壁であってもよい。また、耐火部材の膨張の形態は、火災の環境等により常に変化するものである。よって、ここで説明した防火区画壁構造１０’は、膨張形態の一例を説明するものにすぎず、本発明を限定するものではない。
【００５８】
続いて、図７及び図８を参照して、本実施形態の耐火部材１１０及びパテ部材１２０を壁材Ｗに設置して防火区画壁構造１０を構築する方法を説明する。なお、図７及び図８は、説明の便宜上、１枚の壁材Ｗに対して１つの耐火部材１１０を設置することを示したものである。
【００５９】
まず、壁材Ｗに所定の大きさの壁孔Ｈをホルソー等によって穿設する。次に、配線・配管材Ｐを壁孔Ｈ内に貫通配置する。次いで、図７に示すように、耐火部材１１０を弾性変形させてスリット部１１６を開放し、この開放したスリット部１１６を介して挿通部１１３に対して配線・配管材Ｐを挿入する。そして、耐火部材１１０を弾性復帰させることにより、スリット部１１６が閉じて配線・配管材Ｐを挿通部１１３内に保持することができる。
【００６０】
次いで、図８に示すとおり、耐火部材１１０を配線・配管材Ｐに沿ってスライドさせて、耐火部材本体１１１の筒状部１１２を壁孔Ｈに配置すると共にフランジ部１１４を壁面に当接させる。この状態でパテ部材１２０を耐火部材１１０の充填領域１１７に充填する。このパテ部材１２０は、当初形態において略直方体の粘土状物質であり、手などで力を加えることにより、所望の形状に変形可能である。つまり、パテ部材１２０を耐火部材本体１１１端面に押し付けて変形させるように載置して、パテ支持部１１８で包囲された所望の充填領域１１７上にパテ部材１２０を充填する。
【００６１】
そして、パテ支持部１１８から壁表側に盛り上がった（又は壁表に突出した）部分をヘラ等の治具で平坦にならす。このとき、パテ支持部１１８が充填領域１１７全体を包囲しているので、充填領域１１７全域に亘って、パテ支持部１１８の（突出方向の）端面に沿ってヘラを走らせることにより、盛り上がったパテ部材１２０の不要部分を簡単にそぎ落とすことができる。また、パテ支持部１１８の突出高さｈが、パテ部材１２０の必要な充填高さよりも高いので、ヘラで表面をならすだけで、規定上必要な充填高さのパテ部材１２０を充填領域１１７に簡単に充填することができる。こうして、耐火部材１１０がパテ部材１２０で密閉された状態で壁材Ｗに設置される。そして、他方の壁材Ｗに対しても同様の作業を実施すれば、図５の防火区画壁構造１０が構築される。
【００６２】
なお、ここで説明した方法は、一例にすぎず、当業者であれば、各工程の順序を入れ替え、又は、状況に応じて不要な工程を省略することも可能である。例えば、耐火部材１１０を先に壁孔Ｈに設置して、その一端又は他端の開口を介して、配線・配管材Ｐを壁表又は壁裏をその長尺方向から挿通部１１３内に挿し込むことも可能である。
【００６３】
以下、本発明に係る一実施形態の耐火部材１１０（又は防火区画壁構造１０）の作用効果について説明する。
【００６４】
本実施形態の耐火部材１１０（又は防火区画壁構造１０）では、充填領域１１７の外周縁１１７ａから壁表側に突出するパテ支持部１１８によって、充填領域１１７に充填されたパテ部材１２０を支持する。特に、パテ支持部１１８が充填領域１１７の外周縁１１７ａ下側に設けられたことにより、耐火部材１１０を壁孔Ｈに設置したときにパテ支持部１１８が充填領域１１７に充填されたパテ部材１２０を鉛直方向下側から下支えする。さらに、パテ支持部１１８の突出高さｈがパテ部材１２０の必要な充填高さと略同一であることにより、所望の耐火性能を確保するために必要な量（高さ）のパテ部材１２０を充填領域１１７に充填したとしても、該パテ部材１２０がパテ支持部１１８から壁表側にはみ出すことがない。さらに、パテ支持部１１８の突出高さｈに合わせてパテ部材１２０を充填することにより、パテ部材１２０を過剰に充填することを防止することができる。すなわち、本実施形態によれば、パテ支持部１１８がパテ部材１２０を包囲するとともに該パテ支持部１１８よりも壁表に突出することを抑えるため、パテ部材１２０が充填領域１１７から側方にはみ出したり、ずれたり、垂れ落ちたりする虞を大幅に軽減することができる。したがって、本実施形態の耐火部材１１０及び防火区画壁構造１０では、パテ支持部１１８がパテ部材１２０を所定の充填領域１１７内により確実に留めることにより、所望の耐火性能を維持することが可能である。さらに、パテ部材１２０の垂れ落ちやずれを防ぐことにより、結果として、耐火部材１１０（壁孔Ｈ）周囲の壁材Ｗ外観や床面を汚れないように保つことが可能である。
【００６５】
また、本実施形態の耐火部材１１０では、円形充填領域１１７ｂ及び矩形充填領域１１７ｃに亘って、スリット部１１６が略中央位置（閉鎖部１１５）からフランジ部１１４外縁まで延びている。そして、パテ支持部１１８は、フランジ部１１４周縁でスリット部１１６に対して交差する方向に延設されているとともに、スリット部１１６を挟み込むように該スリット部１１６に平行に延設されている。すなわち、本実施形態によれば、パテ部材１２０を充填領域１１７に充填した際、スリット部１１６全体をパテ部材１２０で覆って密閉し、スリット部１１６形成に伴う耐火性能の低下を抑えることができる。さらに、矩形充填領域１１７ｃ上でスリット部１１６を覆うパテ部材１２０が側方にはみ出したり、垂れ落ちたりすることを効果的に防止することができる。
【００６６】
（実施例２）
次に、図９及び図１０を参照して、本発明の別実施形態の耐火部材２１０及び防火区画壁構造２０を説明する。図９（ａ）、（ｂ）は、実施例２の耐火部材２１０の一端側及び他端側からの斜視図である。図１０（ａ）、（ｂ）は、該防火区画壁構造１０の正面図及びそのＤ−Ｄ断面図である。
【００６７】
図９に示すとおり、耐火部材２１０は、実施例１の耐火部材１１０と同様に、耐火部材本体２１１と、該耐火部材本体２１１の壁表側でパテ部材２２０が充填される充填領域２１７と、該充填領域２１７（耐火部材本体１１１の壁表側端面）よりも一端側に突出するパテ支持部２１８と、を備える。そして、該耐火部材本体２１１は、筒状部２１２、挿通部２１３、フランジ部２１４、閉鎖部２１５及びスリット部２１６を有する。そして、本実施例では、実施例１の耐火部材１１０と異なり、充填領域２１７は、筒状部２１２の一端面から奥まった位置に形成された閉鎖部２１５上の円形領域として定められている。換言すると、充填領域２１７の底部が筒状部２１２の軸方向において中央よりも壁表側に位置する。この充填領域２１７の外周縁２１７ａに、パテ支持部２１８が正面視円環形状に形成されている。すなわち、パテ支持部２１８が、耐火部材本体２１１端面から壁裏（他端）側に後退した充填領域２１７から耐火部材本体２１１の壁表側端面よりも壁表側に所定の高さｈ（図１０（ｂ）参照）で突出している。なお、本実施例では、フランジ部２１４で延びるスリット部２１６上にパテ部材２２０を充填してもよいが、この箇所は、本発明の「充填領域」として定められていない。
【００６８】
防火区画壁構造２０では、図１０（ａ）、（ｂ）に示すとおり、熱膨張性のパテ部材２２０が、耐火部材２１０の壁表側に規定された充填領域２１７上に充填され、閉鎖部２１５の薄肉部分を補強している。そして、パテ部材２２０は、充填領域２１７内で、該閉鎖部２１５と配線・配管材Ｐとの隙間及び閉鎖部２１５の舌片２１５ａ同士の隙間（スリット部２１６の一部）を密閉している。図１０（ａ）に示すように、正面視において、パテ部材２２０は、円形の充填領域２１７に隙間なく充填され、充填領域２１７の外周縁２１７ａからはみ出ることなく、パテ支持部２１８によって全体的に包囲されている。そして、図１０（ｂ）に示すように、パテ部材２２０は、パテ支持部２１８の突出高さｈを越えないように、壁表側にほぼ平坦な外表面を有する。そして、パテ支持部２１８が充填領域２１７の外周縁２１７ａの下側で延在している。すなわち、該パテ支持部２１８が充填領域２１７上のパテ部材２２０を鉛直方向下側から下支えしている。したがって、本防火区画壁構造２０では、防火区画壁構造１０と同様に、パテ支持部２１８がパテ部材２２０を支持していることにより、重力によりパテ部材２２０が垂れ落ちる虞を大幅に軽減している。なお、本実施例では、実施例１と比べて、充填領域２１７が奥まった位置にあるため、突出高さｈを相対的に大きくすることができ、より多くのパテ部材２２０を充填することが可能である。
【００６９】
（実施例３）
次いで、図１１及び図１２を参照して、本発明の別実施形態の耐火部材３１０及び防火区画壁構造３０を説明する。図１１（ａ）、（ｂ）は、実施例３の耐火部材３１０の一端側及び他端側からの斜視図である。図１２（ａ）、（ｂ）は、該防火区画壁構造３０の正面図及びそのＥ−Ｅ断面図である。
【００７０】
図１１に示すとおり、耐火部材３１０は、実施例１の耐火部材１１０と同様に、耐火部材本体３１１と、該耐火部材本体３１１の壁表側でパテ部材３２０が充填される充填領域３１７と、該充填領域３１７（耐火部材本体３１１端面）よりも壁表に突出するパテ支持部３１８と、を備える。そして、該耐火部材本体３１１は、筒状部３１２、挿通部３１３、フランジ部３１４、閉鎖部３１５及びスリット部３１６を有する。本実施例では、実施例１の耐火部材１１０と異なり、充填領域３１７は、筒状部３１２の円筒壁端面からフランジ部３１４周縁までスリット部３１６に沿って延びる矩形領域として定められている。この矩形状の充填領域３１７の外周縁３１７ａの一部で、パテ支持部３１８が正面視において上方で開放した矩形枠状に突出形成されている。つまり、充填領域３１７が耐火部材本体３１１端面でスリット部３１６に沿ってフランジ部３１４上に形成されている。また、耐火部材本体３１１の一端面が開放されており、他端面が閉鎖部３１５で閉鎖されている。本実施例では、パテ部材３２０が閉鎖部３１５上に盛られて挿通部３１３内に充填されるが、この閉鎖部３１５上の領域は、その外周縁にパテ支持部３１８が形成されておらず、本発明の「充填領域」として定められていない。
【００７１】
防火区画壁構造３０では、図１２（ａ）、（ｂ）に示すとおり、熱膨張性のパテ部材３２０が耐火部材３１０の壁表側端面でフランジ部３１４上に規定された矩形状充填領域３１７上に充填されているとともに、熱膨張性の第２のパテ部材３２１が、耐火部材３１０本体の挿通部３１３内の充填空間（本発明の充填領域として定めていない）に充填されている。本実施形態の防火区画壁構造３０では、事前に第２のパテ部材３２１が挿通部３１３内に充填された設置構造に対して、細かい隙間（スリット部３１６）を埋めるための仕上げとして、充填領域３１７にパテ部材３２０が充填された。つまり、充填領域３１７上のパテ部材３２０と挿通部３１３内の第２のパテ部材３２１とは明確に区別される概念である。しかしながら、パテ部材３２０及び第２のパテ部材３２１を同時又は一体的に形成してもよいことは言うまでもない。
【００７２】
そして、パテ部材３２０は、充填領域３１７内でスリット部３１６を密閉している。図１２（ａ）に示すように、正面視において、パテ部材３２０は、矩形状充填領域３１７に隙間なく充填され、その矩形状の外周縁３１７ａからはみ出ることなく、パテ支持部３１８によって全体的に包囲されている。そして、図１２（ｂ）に示すように、充填領域３１７上のパテ部材３２０は、充填空間における第２のパテ部材３２１表面に対して前方に隆起しているとともに、パテ支持部３１８の突出高さｈを越えないように平坦にならされている。
【００７３】
そして、パテ支持部３１８が矩形状充填領域３１７の外周縁３１７ａの下側で延在ししている。すなわち、スリット部３１６先端が６時の方向を向いており、スリット部３１６に交差するパテ支持部３１８がパテ部材３２０を鉛直方向下側から下支えしている。他方、スリット部３１６先端を３時又は９時の方向に向けた場合であっても、スリット部３１６に平行に延びるパテ支持部３１８がパテ部材３２０を鉛直方向下側から下支えする。つまり、本実施例では、パテ支持部３１８の開放部分が下方を向かない限りにおいて、パテ支持部３１８がパテ部材３２０を鉛直方向下側から下支えするように機能する。したがって、本防火区画壁構造３０では、パテ支持部３１８が少なくとも充填領域３１７の下側に配置されてパテ部材３２０を支持することにより、重力によりパテ部材３２０が垂れ落ちる虞を大幅に軽減している。さらに、スリット部３１６をパテ部材３２０で覆って密閉しているため、スリット部３１６形成に伴う耐火性能の低下が抑えられている。
【００７４】
（実施例４）
続いて、図１３及び図１４を参照して、本発明の別実施形態の耐火部材４１０及び防火区画壁構造４０を説明する。図１３は、実施例４の耐火部材４１０の斜視図である。図１４（ａ）、（ｂ）は、該防火区画壁構造４０の正面図及びそのＦ−Ｆ断面図である。図１４の防火区画壁構造４０では、実施例１と異なり、壁材Ｗ’は中空耐火壁でなく、厚いコンクリート壁である。すなわち、防火区画壁構造４０には、壁裏空間が存在せずに、１枚の壁材Ｗ’の両壁面が壁表空間に接し、該壁材Ｗ’を１つの壁孔Ｈ’が貫通している。
ている。
【００７５】
図１３に示すとおり、耐火部材４１０は、耐火部材本体４１１と、該耐火部材本体４１１の両壁表側（両端）でパテ部材４２０が充填される一対の充填領域４１７と、該充填領域４１７（耐火部材本体４１１両端面）よりも軸方向にそれぞれ突出する一対のパテ支持部４１８と、を備える。そして、該耐火部材本体４１１は、筒状部４１２、挿通部４１３及び閉鎖部４１５を有する。すなわち、実施例１の耐火部材１１０と異なり、耐火部材本体４１１には、フランジ部及びスリット部が設けられていないとともに、その両端面に充填領域及びパテ支持部が設けられている。そして、本実施例では、充填領域４１７は、閉鎖部４１５上に延在する円形領域として定められている。この充填領域４１７の外周縁４１７ａの一部（下方）で、パテ支持部４１８が正面視において上方で開放した円弧形状として形成されている。
【００７６】
防火区画壁構造４０では、図１４（ａ）、（ｂ）に示すとおり、熱膨張性のパテ部材４２０が、耐火部材４１０の両端面に規定された一対の円形状充填領域４１７上にそれぞれ充填されている。そして、パテ部材４２０は、各充填領域４１７内で、閉鎖部４１５と配線・配管材Ｐとの隙間及び閉鎖部４１５の舌片４１５ａ同士の隙間を密閉している。図１４（ａ）に示すように、正面視において、パテ部材４２０は、円形の充填領域４１７に隙間なく充填され、充填領域４１７の外周縁４１７ａからはみ出ることなく、パテ支持部４１８によって部分的に包囲されている。そして、図１４（ｂ）に示すように、パテ部材４２０は、パテ支持部４１８の突出高さｈを越えないように、壁表側にほぼ平坦な平面を有する。そして、円弧状のパテ支持部４１８が充填領域４１７の外周縁４１７ａの下側で延在し、該パテ支持部４１８が充填領域４１７上のパテ部材４２０を鉛直方向下側から下支えしている。すなわち、本防火区画壁構造４０では、防火区画壁構造１０と同様に、パテ支持部４１８がパテ部材４２０を支持していることにより、重力によりパテ部材４２０が垂れ落ちる虞を大幅に軽減している。
【００７７】
（変形例）
本発明の実施形態を説明したが、本発明は上記実施例１〜４に限定されない。例えば、上記実施形態では、壁孔及び耐火部材本体端面の外周形状が全て正円形であるが、これらは長円や多角形等の他の形状であってもよく、互いに異なっていてもよい。そして、上記実施形態（実施例１〜３）の防火区画壁構造では、中空の耐火壁の両壁材Ｗに貫通部形成装置が設置されたが、本発明はこれに限定されない。すなわち、本発明の防火区画壁構造は、中空の耐火壁の一方の壁材Ｗのみに貫通部形成装置を設置した構造も含んでいる。このような形態でも、火災時に一方の壁材Ｗの壁孔Ｈが閉塞されることで、中空壁を挟んだ両空間を隔絶することができるので、同様の効果を発揮できる。
【００７８】
さらに、本発明は、変形例として、以下の形態を取り得る。
・パテ部材で充填領域が完全に被覆されずに、充填領域の一部のみにパテ部材が充填されてもよい。
・パテ支持部が断続的に突出した複数の（例えば、櫛歯状）突出片で形成されてもよい。あるいは、パテ支持部が断片的に途切れるように形成されてもよい。
・フランジ部を省略してもよい。
・パテ部材の充填高さをパテ支持部の突出高さより大きくしても、又は、小さくしてもよい。
【００７９】
本発明は上述した実施形態や変形例に限定されるものではなく、本発明の技術的範囲に属する限りにおいて種々の態様で実施しうるものである。
【符号の説明】
【００８０】
１０      防火区画壁構造
１１０    耐火部材
１１１    耐火部材本体
１１２    筒状部
１１２ａ  内周面
１１２ｂ  外周面
１１３    挿通部
１１４    フランジ部
１１５    閉鎖部
１１５ａ  舌片
１１６    スリット部
１１７    充填領域（又は充填領域の底部）
１１７ａ  外周縁
１１７ｂ  円形充填領域
１１７ｃ  矩形充填領域
１１８    パテ支持部
１２０    パテ部材
Ｐ        配線・配管材
Ｗ        壁材
Ｈ        壁孔
【図１】
2015200110.tif 000003
【図２】
2015200110.tif 000004
【図３】
2015200110.tif 000005
【図４】
2015200110.tif 000006
【図５】
2015200110.tif 000007
【図６】
2015200110.tif 000008
【図７】
2015200110.tif 000009
【図８】
2015200110.tif 000010
【図９】
2015200110.tif 000011
【図１０】
2015200110.tif 000012
【図１１】
2015200110.tif 000013
【図１２】
2015200110.tif 000014
【図１３】
2015200110.tif 000015
【図１４】
2015200110.tif 000016